(57)【要約】      （修正有）【課題】印刷物の印刷方法を判定する装置、その制御方法、判定システム、その制御方法及びプログラムを提供する。【解決手段】判定システムは、印刷物の印刷面を撮影し、撮影した撮影画像の撮像データを取得する撮像データ取得装置と、撮像データ取得装置が取得した撮像データに基づいて、撮像データ取得装置により撮影された印刷物の印刷面の印刷方法を判定する判定装置と、を備える。判定装置は、撮像データ取得装置が取得した撮像データから、撮影画像に含まれる複数の判定領域を選択し、選択した複数の判定領域のそれぞれに含まれる線分の像に基づいた判定用データを取得し、取得した判定用データを２つの判定領域間で各々比較し、この比較結果に基づいて、印刷物の印刷面の印刷方法を判定するための判定値を取得し、取得した判定値に基づいて、印刷物の印刷面の印刷方法を判定する。【選択図】図２
2020204906.tif 000002
【特許請求の範囲】
【請求項１】
印刷物の印刷面を撮影し、撮影した撮影画像の撮像データを取得する撮像データ取得装置と、
前記撮像データ取得装置が取得した前記撮像データに基づいて、前記撮像データ取得装置により撮影された前記印刷物の印刷面の印刷方法を判定する判定装置と、を備え、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定システム。
【請求項２】
前記線分の像は、等間隔に平行に並んで配置された複数の線分の像である、請求項１に記載の判定システム。
【請求項３】
前記判定装置は、
前記比較結果に基づいて、前記印刷物が、版による印刷方法で印刷された印刷物であるか、駆動系により走査して印刷するプリンタによる印刷方法で印刷された印刷物であるかを判定する、請求項１又は２に記載の判定システム。
【請求項４】
前記線分の像は、前記印刷物が前記プリンタにより印刷されたものである場合、前記プリンタの走査方向に対して、水平もしくは垂直ではない線分の像である、請求項３に記載の判定システム。
【請求項５】
前記判定装置は、
前記判定値が、予め設定された判定用閾値以上である場合には、前記プリンタにより印刷されたものであると判定し、
一方、前記判定値が、前記判定用閾値未満である場合には、前記版により印刷されたものであると判定する、請求項４に記載の判定システム。
【請求項６】
前記プリンタによる印刷方法は、面積諧調方式、又は、熱転写方式による印刷である、請求項４又は５に記載の判定システム。
【請求項７】
前記判定装置は、
取得した前記撮像データの撮影画像の前記印刷物の前記印刷面における相対的な座標を指定して、前記複数の判定領域を選択する請求項１ないし６のいずれか一項に記載の判定システム。
【請求項８】
前記判定装置は、
前記選択された複数の判定領域のうち、予め規定された所定色以外の色が予め設定された所定割合以上含まれる判定領域を、判定対象から除外する、請求項７に記載の判定システム。
【請求項９】
前記判定装置は、
前記選択された複数の判定領域のうち、文字が印字された判定領域を、判定対象から除外する、請求項８に記載の判定システム。
【請求項１０】
前記判定装置は、
前記判定領域の範囲を、汚れやゴミが付着していない範囲に、調整する、請求項８ないし９のいずれか一項に記載の判定システム。
【請求項１１】
前記判定装置は、
前記判定領域を構成する複数の画素領域における前記所定色の階調を、各判定領域に適した２値化閾値を基準に、２値化することで、前記判定領域の２値化された２値化データを取得し、取得した前記２値化データを前記判定用データとする、請求項８ないし１０のいずれか一項に記載の判定システム。
【請求項１２】
前記判定装置は、
前記選択された複数の判定領域のうち、前記判定領域の有効性を判定して、有効性が低いと判断された判定領域を、判定対象から除外する、請求項７ないし１１のいずれか一項に記載の判定システム。
【請求項１３】
前記判定装置は、
前記選択された複数の判定領域のうち、前記線分の像に途切れがある判定領域を、前記有効性が低い領域として、判定対象から除外する、請求項１２に記載の判定システム。
【請求項１４】
前記判定装置は、
前記判定対象である２つの判定領域の前記２値化データを重なる位置においてそれぞれ比較する、請求項１１ないし１３のいずれか一項に記載の判定システム。  
【請求項１５】
前記判定装置は、
前記判定対象である２つの判定領域のサイズを同じにして、当該サイズを同じにした２つの判定領域の前記２値化データを比較する、請求項１４に記載の判定システム。  
【請求項１６】
前記判定装置は、
前記判定対象である前記複数の判定領域の前記２値化データを総当たりで比較し、比較した前記複数の判定領域間の前記２値化データの差分を算出し、得られた差分データの合計、平均、又は偏差の少なくともいずれか１つに基づいて、前記判定値を算出する、請求項１１ないし１５のいずれか一項に記載の判定システム。
【請求項１７】
前記撮像データ取得装置は、前記印刷物の印刷面の撮像画像の前記撮像データを取得するイメージセンサを備えた、携帯電話又はデジタルカメラである請求項１ないし１６のいずれか一項に記載の判定システム。
【請求項１８】
前記印刷物の本物は、前記版により印刷され、
一方、前記印刷物の偽物は、前記プリンタにより印刷されており、
前記判定装置は、
前記比較結果に基づいて、前記印刷物が、前記版による印刷方法で印刷された本物の印刷物であるか、若しくは、前記プリンタによる印刷方法で印刷された偽物の印刷物であるかを判定する、請求項３に記載の判定システム。
【請求項１９】
前記判定装置は、
インターネットを介して、前記撮像データ取得装置が取得した前記撮像データを、受信する、請求項１ないし１８のいずれか一項に記載の判定システム。
【請求項２０】
前記判定装置は、
前記印刷物の前記印刷面の印刷方法の判定結果を、インターネットを介して、外部装置に送信する、請求項１ないし１９のいずれか一項に記載の判定システム。
【請求項２１】
前記判定装置は、
前記印刷物の前記印刷面の印刷方法の判定結果を、インターネットを介して、前記撮像データ取得装置に送信する、請求項１ないし２０のいずれか一項に記載の判定システム。
【請求項２２】
印刷物の印刷面を撮影し、撮影した撮影画像の撮像データを取得する撮像データ取得装置と、前記撮像データ取得装置が取得した前記撮像データに基づいて、前記撮像データ取得装置により撮影された前記印刷物の印刷面の印刷方法を判定する判定装置と、を備えた判定システムの制御方法であって、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定システムの制御方法。
【請求項２３】
印刷物の印刷面を撮影し、撮影した撮影画像の撮像データを取得する撮像データ取得装置を備えた判定システムに適用される、判定装置であって、
前記撮像データ取得装置が取得した前記撮像データに基づいて、前記撮像データ取得装置により撮影された前記印刷物の印刷面の印刷方法を判定するものであり、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定装置。
【請求項２４】
印刷物の印刷面を撮影し、撮影した撮影画像の撮像データを取得する撮像データ取得装置を備えた判定システムに適用される、判定装置の制御方法であって、
前記判定装置は、前記撮像データ取得装置が取得した前記撮像データに基づいて、前記撮像データ取得装置により撮影された前記印刷物の印刷面の印刷方法を判定するものであり、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定装置の制御方法。
【請求項２５】
印刷物の印刷面を撮影し、撮影した撮影画像の撮像データを取得する撮像データ取得装置を備えた判定システムに適用され且つコンピュータを備える判定装置により、実行されるプログラムであって、
前記判定装置は、前記撮像データ取得装置が取得した前記撮像データに基づいて、前記撮像データ取得装置により撮影された前記印刷物の印刷面の印刷方法を判定するものであり、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、処理を前記コンピュータに実行させるプログラム。
【発明の詳細な説明】
【技術分野】
【０００１】
本開示の実施形態は、印刷物の印刷方法を判定する判定装置に関する。また、本開示の実施形態は、判定装置の制御方法、判定システム、判定システムの制御方法、及び、プログラムに関する。
【背景技術】
【０００２】
従来、印刷物である、紙幣や商品券等の金券や、運転免許証、住民基本台帳カード、在留カード、特別永住者証明書又はパスポート等の身分証明書等は、本物であるか否かは厳密に判定される必要があった。
【０００３】
ここで、例えば、特許文献１には、インクジェットなど面積諧調方式のプリンタで印刷された被写体のスキャン画像の色平坦度による違いを検出し、当該印刷物が、面積諧調方式で印刷された物か否かを判定する従来技術が開示されている。
【０００４】
しかしながら、この従来技術は、偽造プリンタがインクジェットなど面積諧調方式のプリンタのみを対象とした判別を実施するものであり、オフセット印刷等の版による印刷方法で印刷された印刷物であるか、若しくは、駆動系により走査して印刷するプリンタによる印刷方法で印刷された印刷物であるかを判別するものではない。
【先行技術文献】
【特許文献】
【０００５】
【特許文献１】特開２０１７−２１５７３９号公報
【発明の開示】
【０００６】
本開示の実施形態は、このような課題を効果的に解決し得る判定装置、判定装置の制御方法、判定システム、判定システムの制御方法、及び、プログラムを提供することを目的とする。
【０００７】
本開示の一実施形態は、印刷物の印刷面を撮影し、撮影した撮影画像の撮像データを取得する撮像データ取得装置と、前記撮像データ取得装置が取得した前記撮像データに基づいて、前記撮像データ取得装置により撮影された前記印刷物の印刷面の印刷方法を判定する判定装置と、を備え、前記判定装置は、前記撮像データ取得装置が取得した前記撮像データから、前記撮影画像に含まれる複数の判定領域を選択し、前記選択した複数の判定領域のそれぞれに含まれる線分の像に基づいた判定用データを取得し、取得した前記判定用データを２つの判定領域間で各々比較し、この比較結果に基づいて、前記印刷物の前記印刷面の印刷方法を判定するための判定値を取得し、取得した前記判定値に基づいて、前記印刷物の前記印刷面の印刷方法を判定する、判定システムである。
【０００８】
本開示の一実施形態による判定システムにおいて、前記線分の像は、等間隔に平行に並んで配置された複数の線分の像であるようにしてもよい。
【０００９】
本開示の一実施形態による判定システムにおいて、前記判定装置は、前記比較結果に基づいて、前記印刷物が、版による印刷方法で印刷された印刷物であるか、若しくは、駆動系により走査して印刷するプリンタによる印刷方法で印刷された印刷物であるかを判定するようにしてもよい。
【００１０】
本開示の一実施形態による判定システムにおいて、前記線分の像は、前記印刷物が前記プリンタにより印刷されたものである場合、前記プリンタの走査方向に対して、水平もしくは垂直ではない線分の像であるようにしてもよい。
【００１１】
本開示の一実施形態による判定システムにおいて、前記判定装置は、前記判定値が、予め設定された判定用閾値以上である場合には、前記プリンタにより印刷されたものであると判定し、一方、前記判定値が、前記判定用閾値未満である場合には、前記版により印刷されたものであると判定するようにしてもよい。
【００１２】
本開示の一実施形態による判定システムにおいて、前記プリンタによる印刷方法は、インクジェットなどの面積諧調方式、又は、昇華転写などの熱転写方式による印刷であるようにしてもよい。
【００１３】
本開示の一実施形態による判定システムにおいて、前記判定装置は、取得した前記撮像データの撮影画像の前記印刷物の前記印刷面における相対的な座標を指定して、前記複数の判定領域を選択するようにしてもよい。
【００１４】
本開示の一実施形態による判定システムにおいて、前記判定装置は、前記選択された複数の判定領域のうち、予め規定された所定色以外の色が予め設定された所定割合以上含まれる判定領域を、判定対象から除外するようにしてもよい。
【００１５】
本開示の一実施形態による判定システムにおいて、前記判定装置は、前記選択された複数の判定領域のうち、文字が印字された判定領域を、判定対象から除外するようにしてもよい。
【００１６】
本開示の一実施形態による判定システムにおいて、前記判定装置は、前記判定領域の範囲を、汚れやゴミが付着していない範囲に、調整するようにしてもよい。
【００１７】
本開示の一実施形態による判定システムにおいて、前記判定装置は、前記判定領域を構成する複数の画素領域における前記所定色の階調を、各判定領域に適した２値化閾値を基準に、２値化することで、前記判定領域の２値化された２値化データを取得し、取得した前記２値化データを前記判定用データとするようにしてもよい。
【００１８】
本開示の一実施形態による判定システムにおいて、前記判定装置は、前記判定対象である２つの判定領域の前記２値化データを重なる位置においてそれぞれ比較するようにしてもよい。  
【００１９】
本開示の一実施形態による判定システムにおいて、前記判定装置は、前記判定対象である２つの判定領域のサイズを同じにし、当該サイズを同じにした２つの判定領域の前記２値化データを比較するようにしてもよい。  
【００２０】
本開示の一実施形態による判定システムにおいて、前記判定装置は、前記選択された複数の判定領域のうち、前記判定領域の有効性を判定して、有効性が低いと判断された判定領域を、判定対象から除外するようにしてもよい。
【００２１】
本開示の一実施形態による判定システムにおいて、前記判定装置は、前記選択された複数の判定領域のうち、前記線分の像に途切れがある判定領域を、前記有効性が低い領域として、判定対象から除外するようにしてもよい。
【００２２】
本開示の一実施形態による判定システムにおいて、前記判定装置は、前記判定対象である前記複数の判定領域の前記２値化データを総当たりで比較し、比較した前記複数の判定領域間の前記２値化データの差分を算出し、得られた差分データの合計、平均、又は偏差の少なくともいずれか１つに基づいて、前記判定値を算出するようにしてもよい。
【００２３】
本開示の一実施形態による判定システムにおいて、前記撮像データ取得装置は、前記印刷物の印刷面の撮像画像の前記撮像データを取得するイメージセンサを備えた、携帯電話又はデジタルカメラであるようにしてもよい。
【００２４】
本開示の一実施形態による判定システムにおいて、前記印刷物の本物は、前記版により印刷され、一方、前記印刷物の偽物は、前記プリンタにより印刷されており、前記判定装置は、前記比較結果に基づいて、前記印刷物が、前記版による印刷方法で印刷された本物の印刷物であるか、若しくは、前記プリンタによる印刷方法で印刷された偽物の印刷物であるかを判定するようにしてもよい。
【００２５】
本開示の一実施形態による判定システムにおいて、前記判定装置は、インターネットを介して、前記撮像データ取得装置が取得した前記撮像データを、受信するようにしてもよい。
【００２６】
本開示の一実施形態による判定システムにおいて、前記判定装置は、前記印刷物の前記印刷面の印刷方法の判定結果を、インターネットを介して、外部装置に送信するようにしてもよい。
【００２７】
本開示の一実施形態による判定システムにおいて、前記判定装置は、前記印刷物の前記印刷面の印刷方法の判定結果を、インターネットを介して、前記撮像データ取得装置に送信するようにしてもよい。
【００２８】
本開示の一実施形態による判定システムにおいて、前記印刷物は、商品券、紙幣、運転免許証、住民基本台帳カード、在留カード、特別永住者証明書、又は、パスポートなどの金券若しくは証明書類であるようにしてもよい。
【００２９】
本開示の一実施形態は、印刷物の印刷面を撮影し、撮影した撮影画像の撮像データを取得する撮像データ取得装置と、前記撮像データ取得装置が取得した前記撮像データに基づいて、前記撮像データ取得装置により撮影された前記印刷物の印刷面の印刷方法を判定する判定装置と、を備えた判定システムの制御方法であって、前記判定装置は、前記撮像データ取得装置が取得した前記撮像データから、前記撮影画像に含まれる複数の判定領域を選択し、前記選択した複数の判定領域のそれぞれに含まれる線分の像に基づいた判定用データを取得し、取得した前記判定用データを２つの判定領域間で各々比較し、この比較結果に基づいて、前記印刷物の前記印刷面の印刷方法を判定するための判定値を取得し、取得した前記判定値に基づいて、前記印刷物の前記印刷面の印刷方法を判定する、判定システムの制御方法である。
【００３０】
本開示の一実施形態は、印刷物の印刷面を撮影し、撮影した撮影画像の撮像データを取得する撮像データ取得装置を備えた判定システムに適用される、判定装置であって、前記撮像データ取得装置が取得した前記撮像データに基づいて、前記撮像データ取得装置により撮影された前記印刷物の印刷面の印刷方法を判定するものであり、前記撮像データ取得装置が取得した前記撮像データから、前記撮影画像に含まれる複数の判定領域を選択し、前記選択した複数の判定領域のそれぞれに含まれる線分の像に基づいた判定用データを取得し、取得した前記判定用データを２つの判定領域間で各々比較し、この比較結果に基づいて、前記印刷物の前記印刷面の印刷方法を判定するための判定値を取得し、取得した前記判定値に基づいて、前記印刷物の前記印刷面の印刷方法を判定する、判定装置である。
【００３１】
本開示の一実施形態は、印刷物の印刷面を撮影し、撮影した撮影画像の撮像データを取得する撮像データ取得装置を備えた判定システムに適用される、判定装置の制御方法であって、前記判定装置は、前記撮像データ取得装置が取得した前記撮像データに基づいて、前記撮像データ取得装置により撮影された前記印刷物の印刷面の印刷方法を判定するものであり、前記判定装置は、前記撮像データ取得装置が取得した前記撮像データから、前記撮影画像に含まれる複数の判定領域を選択し、前記選択した複数の判定領域のそれぞれに含まれる線分の像に基づいた判定用データを取得し、取得した前記判定用データを２つの判定領域間で各々比較し、この比較結果に基づいて、前記印刷物の前記印刷面の印刷方法を判定するための判定値を取得し、取得した前記判定値に基づいて、前記印刷物の前記印刷面の印刷方法を判定する、判定装置の制御方法である。
【００３２】
本開示の一実施形態は、印刷物の印刷面を撮影し、撮影した撮影画像の撮像データを取得する撮像データ取得装置を備えた判定システムに適用され且つコンピュータを備える判定装置により、実行されるプログラムであって、前記判定装置は、前記撮像データ取得装置が取得した前記撮像データに基づいて、前記撮像データ取得装置により撮影された前記印刷物の印刷面の印刷方法を判定するものであり、前記判定装置は、前記撮像データ取得装置が取得した前記撮像データから、前記撮影画像に含まれる複数の判定領域を選択し、前記選択した複数の判定領域のそれぞれに含まれる線分の像に基づいた判定用データを取得し、取得した前記判定用データを２つの判定領域間で各々比較し、この比較結果に基づいて、前記印刷物の前記印刷面の印刷方法を判定するための判定値を取得し、取得した前記判定値に基づいて、前記印刷物の前記印刷面の印刷方法を判定する、処理を前記コンピュータに実行させるプログラムである。
【００３３】
本開示の実施形態によれば、版による印刷方法で印刷された印刷物であるか、若しくは、駆動系により走査して印刷するプリンタによる印刷方法で印刷された印刷物であるかを判別することができる。
【図面の簡単な説明】
【００３４】
【図１】図１は、一実施の形態に係る判定システム１００の構成の一例を示す構成図である。
【図２】図２は、図１に示す判定システム１００（判定装置１０）の制御方法の一例を示すフロー図である。
【図３Ａ】図３Ａは、印刷物Ａの印刷面Ｂの一例を示す図である。
【図３Ｂ】図３Ｂは、版により印刷された印刷物Ａの印刷面Ｂの領域Ｑの線分の像Ｌを拡大して示す図である。
【図３Ｃ】図３Ｃは、プリンタにより印刷された印刷物Ａの印刷面Ｂの領域Ｑの線分の像Ｌを拡大して示す図である。
【図４Ａ】図４Ａは、プリンタのプリントヘッドＨを等速で移動（走査）させて印刷物に線分を印刷する例を示す図である。
【図４Ｂ】図４Ｂは、図４Ａに続く、プリンタのプリントヘッドＨを等速で移動（走査）させて印刷物に線分を印刷する例を示す図である。
【図５Ａ】図５Ａは、プリンタのプリントヘッドＨの走査速度が一時的に低下して印刷物に線分を印刷する例を示す図である。
【図５Ｂ】図５Ｂは、図５Ａに続く、プリンタのプリントヘッドＨの走査速度が一時的に低下して印刷物に線分を印刷する例を示す図である。
【図５Ｃ】図５Ｃは、図５Ｂに続く、プリンタのプリントヘッドＨの走査速度が一時的に低下して印刷物に線分を印刷する例を示す図である。
【図５Ｄ】図５Ｄは、図５Ｃに続く、プリンタのプリントヘッドＨの走査速度が一時的に低下して印刷物に線分を印刷する例を示す図である。
【図６】図６は、プリンタにより印刷された印刷物Ａの印刷面Ｂの線分の像Ｌの一例を示す図である。
【図７Ａ】図７Ａは、印刷物Ａの印刷面Ｂの一例を示す図である。
【図７Ｂ】図７Ｂは、図７Ａに示す印刷物Ａの印刷面Ｂの領域Ｒを拡大した例を示す図である。
【図８Ａ】図８Ａは、図７Ｂに示す印刷物Ａの印刷面Ｂの領域Ｒにおいて、複数の判定領域Ｄ１〜Ｄ６を選択（抽出）した例を示す図である。
【図８Ｂ】図８Ｂは、図８Ａに続く、図８Ａに示す選択された複数の判定領域Ｄ１〜Ｄ６のうち、予め規定された所定色以外の色Ｍが予め設定された所定割合以上含まれる判定領域Ｄ３を、判定対象から除外する例を示す図である。
【図８Ｃ】図８Ｃは、図８Ｂに続く、選択された複数の判定領域Ｄ１〜Ｄ６のうち、判定領域Ｄ４の範囲を、汚れやゴミが付着していない範囲に、調整する例を示す図である。
【図８Ｄ】図８Ｄは、図８Ｃに続く、選択された複数の判定領域Ｄ１〜Ｄ６のうち、選択された複数の判定領域Ｄ１〜Ｄ６のうち、線分の像に途切れがある判定領域Ｄ５を、有効性が低い領域として、判定対象から除外する例を示す図である。
【図９Ａ】図９Ａは、判定対象である２つの判定領域Ｄ１、Ｄ４に含まれる２値化した線分の像ＬＶが重なるように位置合わせをするとともに、判定対象である２つの判定領域Ｄ１、Ｄ４のサイズを同じにする処理Ｔの一例を示す図である。
【図９Ｂ】図９Ｂは、図９Ａに続く、判定対象である２つの判定領域Ｄ１、Ｄ４の位置合わせ及びサイズを同じにする処理が実行された２値化データ（判定用データ）を比較し、比較した２つの判定領域Ｄ１、Ｄ４間の２値化データの差分Ｚを算出する処理Ｕの一例を示す図である。
【発明を実施するための形態】
【００３５】
以下、本開示の実施形態に係る判定装置の構成及びその制御方法について、図面を参照しながら詳細に説明する。なお、以下に示す実施形態は本開示の実施形態の一例であって、本開示はこれらの実施形態に限定して解釈されるものではない。また、本明細書において用いる、形状や幾何学的条件並びにそれらの程度を特定する、例えば、「平行」や「直交」等の用語や長さや角度の値等については、厳密な意味に縛られることなく、同様の機能を期待し得る程度の範囲を含めて解釈することとする。また、本実施形態で参照する図面において、同一部分または同様な機能を有する部分には同一の符号または類似の符号を付し、その繰り返しの説明は省略する場合がある。また、図面の寸法比率は説明の都合上実際の比率とは異なる場合や、構成の一部が図面から省略される場合がある。
【００３６】
以下、図１乃至図９Ｂを参照して、本開示の一実施の形態について説明する。  
【００３７】
［判定システム］
図１は、一実施の形態に係る判定システム１００の構成の一例を示す構成図である。また、図２は、図１に示す判定システム１００（判定装置１０）の制御方法の一例を示すフロー図である。なお、図２に示す処理は、主として判定装置１０の処理部１２が予め用意されたプログラムを実行することにより実施される。
【００３８】
判定システム１００は、例えば、図１に示すように、判定装置１０と、撮像データ取得装置２０と、外部装置３０と、を備える。なお、この図１に示す判定システム１００において、外部装置３０は、必要に応じて、省略されていてもよい。
【００３９】
［撮像データ取得装置］
撮像データ取得装置２０は、印刷物Ａの印刷面Ｂを撮影し、撮影した撮影画像の撮像データを取得するようになっている。この撮像データ取得装置２０が取得した撮像データは、インターネット等の無線通信により、撮像データ取得装置２０の通信部２１、判定装置１０の通信部１１を介して、判定装置１０の処理部１２に送られるようになっている。なお、印刷物Ａは、例えば、商品券、紙幣、運転免許証、住民基本台帳カード、在留カード、特別永住者証明書、又は、パスポート等である。
【００４０】
ここで、この撮像データ取得装置２０は、例えば、図１に示すように、通信部２１と、処理部２２と、記憶部２３と、表示部２４と、操作部２５と、撮像部２６と、を備える。なお、この図１に示す撮像データ取得装置２０の構成は、一例であり、必要に応じてその構成の一部が省略され、又、他の構成を追加するようにしてもよい。
【００４１】
そして、通信部２１は、判定装置１０の通信部１１と、インターネット等の無線通信により、所定のデータ等を送受信するようになっている。なお、必要に応じて、通信部２１は、通信部１１と、有線通信により、所定のデータ等を送受信するようにしてもよい。
【００４２】
また、処理部２２は、例えば、ＣＰＵなどのコンピュータにより構成され、撮像部２６の動作の制御を含む、撮像データ取得装置２０の必要な処理を実行するようになっている。
【００４３】
また、記憶部２３は、例えば、撮像データ取得装置２０の処理部２２により実行される処理のプログラム、及び、その処理に必要なデータを記憶している。そして、この記憶部２３は、撮像部２６により生成された撮像データを一時的に保存するようになっている。
【００４４】
また、表示部２４は、例えば、撮像データ取得装置２０の処理部２２により実行される内容等を表示するディスプレイである。
【００４５】
また、操作部２５は、例えば、撮像データ取得装置２０のユーザにより操作される入力装置であり、撮像データ取得装置２０は当該操作に応じた処理を処理部２２に実行させるようになっている。
【００４６】
また、撮像部２６は、印刷物Ａの印刷面Ｂを撮影し、撮影した撮影画像の撮像データを取得するようになっている。この撮像部２６は、例えば、イメージセンサである。
【００４７】
この撮像データ取得装置２０は、例えば、印刷物Ａの印刷面Ｂの撮像画像の撮像データを取得するイメージセンサ（撮像部２６）を備えた、携帯電話（スマートホン）又はデジタルカメラである。なお、撮像データは、例えば、ＲＧＢカラーの階調データである。
【００４８】
［判定装置］
判定装置１０は、撮像データ取得装置２０が取得した撮像データに基づいて、撮像データ取得装置２０により撮影された印刷物Ａの印刷面Ｂの印刷方法を判定するようになっている。
【００４９】
例えば、図２に示すように、判定装置１０は、撮像データ取得装置２０が取得した撮像データから、撮影画像に含まれる複数の判定領域を選択するようになっている（図２のステップＳ１）。
【００５０】
そして、判定装置１０は、選択した複数の判定領域のそれぞれに含まれる線分の像に基づいた判定用データを取得（算出）し、取得した判定用データを２つの判定領域間で各々比較し、この比較結果に基づいて、印刷物Ａの印刷面Ｂの印刷方法を判定するための判定値を取得（算出）するようになっている（図２のステップＳ２〜Ｓ７）。
【００５１】
そして、判定装置１０は、取得した判定値に基づいて、印刷物Ａの印刷面Ｂの印刷方法を判定するようになっている。
【００５２】
ここで、判定装置１０は、例えば、図１に示すように、通信部１１と、処理部１２と、記憶部１３と、表示部１４と、操作部１５と、を備える。なお、この図１に示す判定装置１０の構成は、一例であり、必要に応じてその構成の一部が省略され、又、他の構成を追加するようにしてもよい。
【００５３】
そして、通信部１１は、撮像データ取得装置２０の通信部２１や外部装置３０の通信部３１と、インターネット等の無線通信により、所定のデータ等を送受信するようになっている。なお、必要に応じて、通信部１１は、通信部２１、３１と、有線通信により、所定のデータ等を送受信するようにしてもよい。
【００５４】
また、表示部１４は、例えば、判定装置１０の処理部１２により実行される判定結果等を表示するディスプレイである。
【００５５】
また、操作部１５は、判定装置１０のユーザにより操作される入力装置であり、判定装置１０は当該操作に応じた処理を処理部１２に実行させるようになっている。
【００５６】
また、処理部１２は、例えば、ＣＰＵなどのコンピュータにより構成され、判定装置１０の必要な処理を実行するようになっている。
【００５７】
そして、処理部１２は、通信部１１により、インターネットを介して、撮像データ取得装置２０が取得した撮像データを、受信するようになっている。
【００５８】
この処理部１２は、例えば、撮像データ取得装置２０が取得した撮像データから、撮影画像に含まれる複数の判定領域を選択し（図２のステップＳ１）、選択した複数の判定領域のそれぞれに含まれる線分の像に基づいた判定用データを取得（算出）し、取得した判定用データを２つの判定領域間で各々比較し、この比較結果に基づいて、印刷物Ａの印刷面Ｂの印刷方法を判定するための判定値を取得（算出）し（図２のステップＳ２〜Ｓ７）、取得した判定値に基づいて、印刷物Ａの印刷面Ｂの印刷方法を判定するようになっている。
【００５９】
また、記憶部１３は、判定装置１０の処理部１２により実行される処理のプログラム、及び、その処理に必要なデータを記憶している。
なお、当該プログラムは、少なくとも、コンピュータ（処理部１２）を備える判定装置１０により実行されるプログラムであって、撮像データ取得装置２０が取得した撮像データから、撮影画像に含まれる複数の判定領域を選択し（図２のステップＳ１）、選択した複数の判定領域のそれぞれに含まれる線分の像に基づいた判定用データを取得（算出）し、取得した判定用データを２つの判定領域間で各々比較し、この比較結果に基づいて、印刷物Ａの印刷面Ｂの印刷方法を判定するための判定値を取得（算出）し（図２のステップＳ２〜Ｓ７）、取得した判定値に基づいて、印刷物Ａの印刷面Ｂの印刷方法を判定する処理を、コンピュータ（処理部１２）に実行させるようになっている。
【００６０】
ここで、判定装置１０の処理部１２は、既述の判定値が、線分の像のうねり（曲がり）の度合いを示すうねり度が予め設定された判定用閾値以上である（例えば、線分の像が、うねっている、若しくは一部曲がっている）ことを示す場合には、印刷物Ａの印刷面Ｂが駆動系（例えば、モーター）で印刷部（プリントヘッド、紙送り）を走査して印刷するプリンタにより印刷されたものであると判定するようになっている。
【００６１】
一方、判定装置１０の処理部１２は、既述の判定値が、既述のうねり度が当該判定用閾値未満である（例えば、線分の像がほぼ直線である）ことを示す場合には、版により印刷されたものであると判定するようになっている。
【００６２】
より詳しくは、例えば、図２に示すように、判定装置１０の処理部１２は、取得した撮像データの撮影画像の印刷物Ａの印刷面Ｂにおける相対的な座標を指定して、複数の判定領域を選択するようになっている（図２のステップＳ１）。
【００６３】
そして、判定装置１０の処理部１２は、当該選択された複数の判定領域のうち、予め規定された所定色以外の色が予め設定された所定割合以上含まれる判定領域を、判定対象から除外するようになっている（図２のステップＳ２）。
【００６４】
そして、判定装置１０の処理部１２は、当該選択された複数の判定領域のうち、文字が印字された判定領域を、判定対象から除外するようになっている（図２のステップＳ２）。
【００６５】
そして、判定装置１０の処理部１２は、それぞれの判定領域の範囲を、汚れやゴミが付着していない範囲に、調整して判定領域を再設定するようになっている（図２のステップＳ３）。
【００６６】
そして、判定装置１０の処理部１２は、当該判定領域を構成する複数の画素領域における所定色の階調を、各判定領域に適した（予め設定された）２値化閾値を基準に、２値化することで、判定領域の２値化された２値化データを取得し、取得した２値化データを既述の判定用データとするようになっている（図２のステップＳ４）。
【００６７】
そして、判定装置１０の処理部１２は、当該選択された複数の判定領域のうち、判定領域の有効性を判定して、有効性が低いと判断された判定領域を、判定対象から除外するようになっている（図２のステップＳ５）。
【００６８】
特に、判定装置１０の処理部１２は、例えば、選択された複数の判定領域のうち、線分の像Ｌに途切れがある判定領域を、有効性が低い領域として、判定対象から除外するようになっている。
【００６９】
そして、判定装置１０の処理部１２は、判定対象である２つの判定領域に含まれる線分の像が重なるように位置合わせ（各判定領域の座標の軸を揃える処理）をして、当該判定対象である２つの判定領域の２値化データ（判定用データ）を重なる位置（座標）においてそれぞれ比較するようになっている（図２のステップＳ６）。  
【００７０】
なお、既述の位置合わせの処理と有効性を判定する処理とは、実施する順番が逆になってもよく、少なくともこれらの処理の後に比較処理が実行されればよい。
【００７１】
なお、判定装置１０の処理部１２は、判定対象である２つの判定領域のサイズを同じにし、当該サイズを同じにした２つの判定領域の２値化データ（判定用データ）を比較するようにしてもよい。  
【００７２】
そして、判定装置１０の処理部１２は、判定対象である複数の判定領域の２値化データを総当たりで比較し、比較した複数の判定領域間の２値化データの差分を算出し、得られた差分データの合計、平均、又は偏差の少なくともいずれか１つに基づいて、既述の判定値を算出するようになっている（図２のステップＳ７）。
【００７３】
そして、判定装置１０の処理部１２は、既述の比較結果に基づいて、印刷物Ａが、既述の版による印刷方法で印刷された本物の印刷物Ａであるか、若しくは、既述のプリンタによる印刷方法で印刷された偽物の印刷物Ａであるかを判定するようになっている。
【００７４】
そして、判定装置１０の処理部１２は、印刷物Ａの印刷面Ｂの印刷方法の判定結果を、インターネットを介して、撮像データ取得装置２０に送信するようになっている。
【００７５】
なお、判定装置１０の処理部１２は、通信部１１により、印刷物Ａの印刷面Ｂの印刷方法の判定結果を、インターネットを介して、外部装置３０に送信するようにしてもよい。
【００７６】
［外部装置］
また、外部装置３０は、例えば、判定装置１０から受信した判定結果等に基づいて、必要な処理を実行するサーバーである。
【００７７】
ここで、外部装置３０は、例えば、図１に示すように、通信部３１と、処理部３２と、記憶部３３と、表示部３４と、操作部３５と、を備える。なお、この図１に示す外部装置３０の構成は、一例であり、必要に応じてその構成の一部が省略され、又、他の構成を追加するようにしてもよい。
【００７８】
そして、通信部３１は、判定装置１０の通信部１１と、インターネット等の無線通信により、所定のデータ等を送受信するようになっている。なお、必要に応じて、通信部３１は、通信部１１と、有線通信により、所定のデータ等を送受信するようにしてもよい。
【００７９】
また、処理部３２は、例えば、ＣＰＵなどのコンピュータにより構成され、外部装置３０の必要な処理を実行するようになっている。
【００８０】
また、記憶部３３は、外部装置３０の処理部３２により実行される処理のプログラム、及び、その処理に必要なデータを記憶している。
【００８１】
また、表示部３４は、例えば、外部装置３０の処理部３２により実行される内容等を表示するディスプレイである。
【００８２】
また、操作部３５は、外部装置３０のユーザにより操作される入力装置であり、外部装置３０は当該操作に応じた処理を処理部３２に実行させるようになっている。
【００８３】
［判定方法の基本原理］
ここで、本実施形態による判定方法の基本原理について説明する。既述のように、本実施形態の判定システム１００は、版による印刷方法で印刷された印刷物であるか、若しくは、駆動系により走査して印刷するプリンタによる印刷方法で印刷された印刷物であるかを判定し、印刷物である金券や身分証明書などの真贋判定を行うようになっている。
【００８４】
例えば、印刷物Ａの本物は、オフセット印刷等の版によりにより印刷される。
【００８５】
これに対し印刷物Ａの偽物は、本物の印刷物Ａを、例えば、スキャナにより撮像して得られた撮像データを用いて、印刷物Ａの印刷面が駆動系（例えば、モーター）で印刷部（プリントヘッド、紙送り）を走査して印刷するプリンタによる印刷により製造されることが多い。
【００８６】
そこで、本実施形態の判定装置は、版による印刷方法で印刷された印刷物であるか、若しくは、駆動系により走査して印刷するプリンタによる印刷方法で印刷された印刷物であるかを判定し、金券や身分証明書などの真贋判定する。
【００８７】
なお、プリンタによる印刷方法には、インクジェットなどの面積諧調方式、又は、昇華転写などの熱転写方式による印刷などが含まれる。
【００８８】
ここで、図３Ａは、印刷物Ａの印刷面Ｂの一例を示す図である。また、図３Ｂは、版により印刷された印刷物Ａの印刷面Ｂの領域Ｑの線分Ｌの像を拡大して示す図である。また、図３Ｃは、プリンタにより印刷された印刷物Ａの印刷面Ｂの領域Ｑの線分の像Ｌを拡大して示す図である。
【００８９】
例えば、図３Ａに示すように、商品券である印刷物Ａの印刷面Ｂには、線分を有する領域Ｑが存在する。
【００９０】
そして、例えば、図３Ｂに示すように、印刷物Ａが版による印刷方法で印刷された本物である場合、線分の像Ｌは、直線になっており、うねり等が発生していない。これは、印刷物Ａがオフセット印刷等の版による印刷方法で印刷されていることで、版に線分の像が直線として設定されている場合には、その印刷物の印刷面に印刷される線分の像も正確に直線となる。
【００９１】
一方、例えば、図３Ｃに示すように、印刷物Ａがプリンタによる印刷により印刷された偽物である場合、線分の像Ｌには、うねりが発生し、若しくは、一部曲がっている。
ここで、印刷物Ａがプリンタによる印刷により印刷された偽物である場合、線分の像Ｌには、うねり等が発生する原理について説明する。
【００９２】
ここで、図４Ａは、プリンタのプリントヘッドＨを等速で移動（走査）させて印刷物に線分を印刷する例を示す図である。また、図４Ｂは、図４Ａに続く、プリンタのプリントヘッドＨを等速で移動（走査）させて印刷物に線分を印刷する例を示す図である。また、図５Ａは、プリンタのプリントヘッドＨの走査速度が一時的に低下して印刷物に線分を印刷する例を示す図である。また、図５Ｂは、図５Ａに続く、プリンタのプリントヘッドＨの走査速度が一時的に低下して印刷物に線分を印刷する例を示す図である。また、図５Ｃは、図５Ｂに続く、プリンタのプリントヘッドＨの走査速度が一時的に低下して印刷物に線分を印刷する例を示す図である。また、図５Ｄは、図５Ｃに続く、プリンタのプリントヘッドＨの走査速度が一時的に低下して印刷物に線分を印刷する例を示す図である。
【００９３】
既述のように、プリンタは、駆動系（例えば、モーター）により印刷部（プリントヘッド、紙送り）を走査して印刷するようになっている。
【００９４】
そして、例えば、図４Ａ、４Ｂに示すように、プリンタのプリントヘッドＨが等速移動させるように走査している場合には、印刷物Ａの印刷面Ｂに直線状の線分の像Ｌが印刷される。
【００９５】
しかしながら、プリンタのプリントヘッドＨや印刷物Ａの紙送りの機構は、モーター等の機械的な機構により走査されるため、等速に走査できない場合がある。また、印刷物Ａの撮像データをスキャナにより撮像してプリンタに取り込む際にも、当該スキャナが等速で走査しない場合があり、当該線分の像を直線として取り込まない場合も想定される。
【００９６】
この場合、図５Ａないし図５Ｄに示すように、プリンタのプリントヘッドＨの走査速度が一時的に低下して印刷物に線分を印刷すると、線分の像Ｌには、うねりが発生することとなる。
【００９７】
このように、プリンタによる描画が紙送りなど、紙送りなど駆動系（モーター）を使用する微小な誤差が発生し、斜線である線分の像Ｌ（走査線に対し斜めな線）は、うねりが発生することとなる。
【００９８】
同様に、偽造原稿を作成する際に、本物の印刷物Ａの印刷面をスキャナで取り込む場合、センサの駆動系の微小誤差により、斜線である線分の像にうねりが発生することとなる。
【００９９】
ここで、図６は、プリンタにより印刷された印刷物Ａの印刷面Ｂの線分Ｌの像の一例を示す図である。
例えば、図６に示すように、プリンタの印画時の画素領域（ドット領域）の補完Ｌａによる斜線である線分の像Ｌが歪んでうねりが発生する場合も想定される。
【０１００】
このように、印刷物Ａがプリンタによる印刷により印刷された偽物である場合、線分の像Ｌには、うねり等が発生する。
一方、既述のように、印刷物Ａが版による印刷方法で印刷された本物である場合、線分の像Ｌは、直線になっており、うねり等が発生しない。
【０１０１】
よって、本実施形態では、版による印刷方法で印刷された印刷物であるか、若しくは、駆動系により走査して印刷するプリンタによる印刷方法で印刷された印刷物であるかを判別することにより、その印刷物が本物又は偽物であるがを判定するものである。  
【０１０２】
なお、既述のように、プリンタによる印刷方法は、例えば、インクジェットなどの面積諧調方式、又は、昇華転写などの熱転写方式による印刷である。
【０１０３】
［判定システムの制御方法］
次に、判定システム１００の判定方法である制御方法、特に、判定装置の制御方法の一例について説明する。
ここで、図７Ａは、印刷物Ａの印刷面Ｂの一例を示す図である。また、図７Ｂは、図７Ａに示す印刷物Ａの印刷面Ｂの領域Ｒを拡大した例を示す図である。
【０１０４】
例えば、図７Ａ、図７Ｂに示すように、商品券である印刷物Ａの印刷面Ｂには、線分を有する領域Ｑが存在する。
【０１０５】
この領域Ｑに印刷されている線分の像Ｌは、例えば、図７Ａ、図７Ｂに示すように、等間隔に平行に並んで配置された複数の線分の像である。
【０１０６】
そして、例えば、図７Ｂに示すように、この領域Ｑにおいては、線分の像Ｌの途切れＫが存在し、汚れやゴミＧが付着している。また、この領域Ｑにおいては、予め規定された所定色以外の色Ｍが印刷されている。
【０１０７】
なお、線分の像Ｌは、印刷物Ａがプリンタにより印刷されたものである場合、プリンタの走査方向（印刷方向）に対して、水平もしくは垂直ではない線分の像（斜線）である。この場合、既述のうねり等の発生が特に顕著になる。
【０１０８】
次に、図８Ａは、図７Ｂに示す印刷物Ａの印刷面Ｂの領域Ｒにおいて、複数の判定領域Ｄ１〜Ｄ６を選択（抽出）した例を示す図である。
【０１０９】
この図８Ａに示すように、判定装置１０の処理部１２は、取得した撮像データの撮影画像の印刷物Ａの印刷面Ｂにおける相対的な座標を指定して、複数の判定領域Ｄ１〜Ｄ６を選択する（図２のステップＳ１に対応）。
【０１１０】
このように、斜線部分の領域から所定のサイズで複数の判定領域を検査のために抽出する。
【０１１１】
次に、図８Ｂは、図８Ａに続く、図８Ａに示す選択された複数の判定領域Ｄ１〜Ｄ６のうち、予め規定された所定色以外の色Ｍが予め設定された所定割合以上含まれる判定領域Ｄ３を、判定対象から除外する例を示す図である。
【０１１２】
この図８Ｂに示すように、判定装置１０の処理部１２は、当該選択された複数の判定領域Ｄ１〜Ｄ６のうち、予め規定された所定色以外の色Ｍが予め設定された所定割合以上含まれる判定領域Ｄ３を、判定対象から除外する（図２のステップＳ２に対応）。さらに、判定装置１０の処理部１２は、当該選択された複数の判定領域Ｄ１〜Ｄ６のうち、文字（図示せず）が印字された判定領域Ｄ３を、判定対象から除外するようにしてもよい（図２のステップＳ２に対応）。
【０１１３】
次に、図８Ｃは、図８Ｂに続く、選択された複数の判定領域Ｄ１〜Ｄ６のうち、判定領域Ｄ４の範囲を、汚れやゴミＧが付着していない範囲に、調整する例を示す図である。
【０１１４】
この図８Ｃに示すように、判定装置１０の処理部１２は、判定領域Ｄ４の範囲を、汚れやゴミＧが付着していない範囲に、調整して判定領域を再設定する（図２のステップＳ３に対応）。
【０１１５】
さらに、この図８Ｃに示すように、判定装置１０の処理部１２は、当該判定領域Ｄ１〜Ｄ６を構成する複数の画素領域における所定色の階調を、各判定領域に適した（予め設定された）２値化閾値を基準に、２値化することで、判定領域の２値化された２値化データを取得し、取得した２値化データを既述の判定用データとする（図２のステップＳ４に対応）。
なお、各判定領域に適した２値化閾値の決定方法は、一般的には領域の画素値のヒストグラムより決定する方法などが知られている。
【０１１６】
次に、図８Ｄは、図８Ｃに続く、選択された複数の判定領域Ｄ１〜Ｄ６のうち、選択された複数の判定領域Ｄ１〜Ｄ６のうち、線分の像に途切れがある判定領域Ｄ５を、有効性が低い領域として、判定対象から除外する例を示す図である。
【０１１７】
この図８Ｄに示すように、判定装置１０の処理部１２は、当該選択された複数の判定領域Ｄ１〜Ｄ６のうち、判定領域の有効性を判定して、有効性が低いと判断された判定領域Ｄ５を、判定対象から除外する（図２のステップＳ５に対応）。
【０１１８】
より詳しくは、判定装置１０の処理部１２は、例えば、選択された複数の判定領域Ｄ１〜Ｄ６のうち、線分の像Ｌに途切れＫがある判定領域Ｄ５を、有効性が低い領域として、判定対象から除外する。
【０１１９】
このように、誤判定を回避するため、選択された判定領域の画像から傷、汚れを含む判定領域を除外するようにしてもよい。
【０１２０】
ここで、図９Ａは、判定対象である２つの判定領域Ｄ１、Ｄ４に含まれる２値化した線分の像ＬＶが重なるように位置合わせをするとともに、判定対象である２つの判定領域Ｄ１、Ｄ４のサイズを同じにする処理Ｔの一例を示す図である。そして、図９Ｂは、図９Ａに続く、判定対象である２つの判定領域Ｄ１、Ｄ４の位置合わせ及びサイズを同じにする処理が実行された２値化データ（判定用データ）を比較し、比較した２つの判定領域Ｄ１、Ｄ４間の２値化データの差分Ｚを算出する処理Ｕの一例を示す図である。
【０１２１】
この図９Ａ、図９Ｂに示すように、既述のステップＳ５の後、判定装置１０の処理部１２は、判定対象である２つの判定領域Ｄ１、Ｄ４に含まれる線分の像（２値化データの“０”の部分）ＬＶが重なるように位置合わせ（各判定領域の座標の軸を揃える処理）をして、当該判定対象である２つの判定領域の２値化データ（判定用データ）を重なる位置（座標）においてそれぞれ比較する（図２のステップＳ６に対応）。  
【０１２２】
特に、判定装置１０の処理部１２は、判定対象である２つの判定領域Ｄ１、Ｄ４のサイズを同じにし、当該サイズを同じにした２つの判定領域Ｄ１、Ｄ４の２値化データ（判定用データ）を比較する（図２のステップＳ６に対応）。  
【０１２３】
そして、判定装置１０の処理部１２は、既述のステップＳ６の後、判定対象である複数の判定領域Ｄ１、Ｄ２、Ｄ４、Ｄ６の２値化データを総当たりで比較し、比較した複数の判定領域間の２値化データの差分Ｚを算出し、得られた差分データの合計、平均、又は偏差の少なくともいずれか１つに基づいて、判定値を算出する（図２のステップＳ７）。
【０１２４】
そして、例えば、判定装置１０の処理部１２は、既述の判定値が、線分の像のうねり（曲がり）の度合いを示すうねり度が予め設定された判定用閾値以上である（例えば、線分の像が、うねっている、若しくは一部曲がっている）ことを示す場合には、印刷物Ａの印刷面Ｂが駆動系（例えば、モーター）で印刷部（プリントヘッド、紙送り）を走査して印刷するプリンタにより印刷されたものであると判定する。
【０１２５】
一方、判定装置１０の処理部１２は、既述の判定値が、既述のうねり度が判定用閾値未満である（例えば、線分の像がほぼ直線である）ことを示す場合には、版により印刷されたものであると判定する。
【０１２６】
このように、判定装置１０は、当該比較結果に基づいて、印刷物Ａが、既述の版による印刷方法で印刷された本物の印刷物Ａであるか、既述のプリンタによる印刷方法で印刷された偽物の印刷物Ａであるかを判定する。
【０１２７】
そして、判定装置１０の処理部１２は、印刷物Ａの印刷面Ｂの印刷方法の判定結果を、インターネットを介して、撮像データ取得装置２０（携帯電話）に送信する。
【０１２８】
これにより、撮像データ取得装置２０（携帯電話）の表示部２４に印刷物Ａの印刷面Ｂの印刷方法の判定結果を表示することで、撮像データ取得装置２０（携帯電話）のユーザは、当該判定結果を知得することができる。
【０１２９】
また、判定装置１０の処理部１２は、通信部１１により、印刷物Ａの印刷面Ｂの印刷方法の判定結果を、インターネットを介して、外部装置３０に送信するようにしてもよい。
【０１３０】
これにより、外部装置３０の表示部３４に印刷物Ａの印刷面Ｂの印刷方法の判定結果を表示することで、撮像データ取得装置２０（携帯電話）のユーザは、当該判定結果を知得することができる。
【０１３１】
以上のように、本開示の実施形態によれば、版による印刷方法で印刷された印刷物であるか、駆動系により走査して印刷するプリンタによる印刷方法で印刷された印刷物であるかを判別することができる。
【０１３２】
なお、上述した実施の形態に対するいくつかの変形例を説明してきたが、当然に、複数の変形例を適宜組み合わせて適用することも可能である。
【符号の説明】
【０１３３】
１００  判定システム
１０  判定装置
２０  撮像データ取得装置
３０  外部装置
１１  通信部
１２  処理部
１３  記憶部
１４  表示部
１５  操作部
２１  通信部
２２  処理部
２３  記憶部
２４  表示部
２５  操作部
２６  撮像部
３１  通信部
３２  処理部
３３  記憶部
３４  表示部
３５  操作部
【図１】
2020204906.tif 000003
【図２】
2020204906.tif 000004
【図３Ａ】
2020204906.tif 000005
【図３Ｂ】
2020204906.tif 000006
【図３Ｃ】
2020204906.tif 000007
【図４Ａ】
2020204906.tif 000008
【図４Ｂ】
2020204906.tif 000009
【図５Ａ】
2020204906.tif 000010
【図５Ｂ】
2020204906.tif 000011
【図５Ｃ】
2020204906.tif 000012
【図５Ｄ】
2020204906.tif 000013
【図６】
2020204906.tif 000014
【図７Ａ】
2020204906.tif 000015
【図７Ｂ】
2020204906.tif 000016
【図８Ａ】
2020204906.tif 000017
【図８Ｂ】
2020204906.tif 000018
【図８Ｃ】
2020204906.tif 000019
【図８Ｄ】
2020204906.tif 000020
【図９Ａ】
2020204906.tif 000021
【図９Ｂ】
2020204906.tif 000022
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
印刷物の印刷面を撮影し、撮影した撮影画像の撮像データを取得する撮像データ取得装置と、
前記撮像データ取得装置が取得した前記撮像データに基づいて、前記撮像データ取得装置により撮影された前記印刷物の印刷面の印刷方法を判定する判定装置と、を備え、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定システム。
【請求項２】
前記線分の像は、等間隔に平行に並んで配置された複数の線分の像である、請求項１に記載の判定システム。
【請求項３】
前記判定装置は、
前記比較結果に基づいて、前記印刷物が、版による印刷方法で印刷された印刷物であるか、駆動系により走査して印刷するプリンタによる印刷方法で印刷された印刷物であるかを判定する、請求項１又は２に記載の判定システム。
【請求項４】
前記線分の像は、前記印刷物が前記プリンタにより印刷されたものである場合、前記プリンタの走査方向に対して、水平もしくは垂直ではない線分の像である、請求項３に記載の判定システム。
【請求項５】
前記判定装置は、
前記判定値が、予め設定された判定用閾値以上である場合には、前記プリンタにより印刷されたものであると判定し、
一方、前記判定値が、前記判定用閾値未満である場合には、前記版により印刷されたものであると判定する、請求項４に記載の判定システム。
【請求項６】
前記プリンタによる印刷方法は、面積諧調方式、又は、熱転写方式による印刷である、請求項４又は５に記載の判定システム。
【請求項７】
前記判定装置は、
取得した前記撮像データの撮影画像の前記印刷物の前記印刷面における相対的な座標を指定して、前記複数の判定領域を選択する請求項１ないし６のいずれか一項に記載の判定システム。
【請求項８】
前記判定装置は、
前記選択された複数の判定領域のうち、予め規定された所定色以外の色が予め設定された所定割合以上含まれる判定領域を、判定対象から除外する、請求項７に記載の判定システム。
【請求項９】
前記判定装置は、
前記選択された複数の判定領域のうち、文字が印字された判定領域を、判定対象から除外する、請求項８に記載の判定システム。
【請求項１０】
前記判定装置は、
前記判定領域の範囲を、汚れやゴミが付着していない範囲に、調整する、請求項８ないし９のいずれか一項に記載の判定システム。
【請求項１１】
前記判定装置は、
前記判定領域を構成する複数の画素領域における前記所定色の階調を、各判定領域に適した２値化閾値を基準に、２値化することで、前記判定領域の２値化された２値化データを取得し、取得した前記２値化データを前記判定用データとする、請求項８ないし１０のいずれか一項に記載の判定システム。
【請求項１２】
前記判定装置は、
前記選択された複数の判定領域のうち、前記判定領域の有効性を判定して、有効性が低いと判断された判定領域を、判定対象から除外する、請求項７ないし１１のいずれか一項に記載の判定システム。
【請求項１３】
前記判定装置は、
前記選択された複数の判定領域のうち、前記線分の像に途切れがある判定領域を、前記有効性が低い領域として、判定対象から除外する、請求項１２に記載の判定システム。
【請求項１４】
前記判定装置は、
前記判定対象である２つの判定領域の前記２値化データを重なる位置においてそれぞれ比較する、請求項１１ないし１３のいずれか一項に記載の判定システム。  
【請求項１５】
前記判定装置は、
前記判定対象である２つの判定領域のサイズを同じにして、当該サイズを同じにした２つの判定領域の前記２値化データを比較する、請求項１４に記載の判定システム。  
【請求項１６】
前記判定装置は、
前記判定対象である前記複数の判定領域の前記２値化データを総当たりで比較し、比較した前記複数の判定領域間の前記２値化データの差分を算出し、得られた差分データの合計、平均、又は偏差の少なくともいずれか１つに基づいて、前記判定値を算出する、請求項１１ないし１５のいずれか一項に記載の判定システム。
【請求項１７】
前記撮像データ取得装置は、前記印刷物の印刷面の撮像画像の前記撮像データを取得するイメージセンサを備えた、携帯電話又はデジタルカメラである請求項１ないし１６のいずれか一項に記載の判定システム。
【請求項１８】
前記印刷物の本物は、前記版により印刷され、
一方、前記印刷物の偽物は、前記プリンタにより印刷されており、
前記判定装置は、
前記比較結果に基づいて、前記印刷物が、前記版による印刷方法で印刷された本物の印刷物であるか、若しくは、前記プリンタによる印刷方法で印刷された偽物の印刷物であるかを判定する、請求項３に記載の判定システム。
【請求項１９】
前記判定装置は、
インターネットを介して、前記撮像データ取得装置が取得した前記撮像データを、受信する、請求項１ないし１８のいずれか一項に記載の判定システム。
【請求項２０】
前記判定装置は、
前記印刷物の前記印刷面の印刷方法の判定結果を、インターネットを介して、外部装置に送信する、請求項１ないし１９のいずれか一項に記載の判定システム。
【請求項２１】
前記判定装置は、
前記印刷物の前記印刷面の印刷方法の判定結果を、インターネットを介して、前記撮像データ取得装置に送信する、請求項１ないし２０のいずれか一項に記載の判定システム。
【請求項２２】
印刷物の印刷面を撮影し、撮影した撮影画像の撮像データを取得する撮像データ取得装置と、前記撮像データ取得装置が取得した前記撮像データに基づいて、前記撮像データ取得装置により撮影された前記印刷物の印刷面の印刷方法を判定する判定装置と、を備えた判定システムの制御方法であって、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定システムの制御方法。
【請求項２３】
印刷物の印刷面を撮影し、撮影した撮影画像の撮像データを取得する撮像データ取得装置を備えた判定システムに適用される、判定装置であって、
前記撮像データ取得装置が取得した前記撮像データに基づいて、前記撮像データ取得装置により撮影された前記印刷物の印刷面の印刷方法を判定するものであり、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定装置。
【請求項２４】
印刷物の印刷面を撮影し、撮影した撮影画像の撮像データを取得する撮像データ取得装置を備えた判定システムに適用される、判定装置の制御方法であって、
前記判定装置は、前記撮像データ取得装置が取得した前記撮像データに基づいて、前記撮像データ取得装置により撮影された前記印刷物の印刷面の印刷方法を判定するものであり、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、判定装置の制御方法。
【請求項２５】
印刷物の印刷面を撮影し、撮影した撮影画像の撮像データを取得する撮像データ取得装置を備えた判定システムに適用され且つコンピュータを備える判定装置により、実行されるプログラムであって、
前記判定装置は、前記撮像データ取得装置が取得した前記撮像データに基づいて、前記撮像データ取得装置により撮影された前記印刷物の印刷面の印刷方法を判定するものであり、
前記判定装置は、
前記撮像データ取得装置が取得した前記撮像データから、前記撮影画像に含まれる複数の判定領域を選択し、
前記選択した複数の判定領域のそれぞれに含まれる線分の像に基づいた判定用データを取得し、
取得した前記判定用データを２つの判定領域間で各々比較し、この比較結果に基づいて、前記印刷物の前記印刷面の印刷方法を判定するための判定値を取得し、
取得した前記判定値に基づいて、前記印刷物の前記印刷面の印刷方法を判定する、処理を前記コンピュータに実行させるプログラム。
【請求項２６】
前記印刷物は、商品券、紙幣、運転免許証、住民基本台帳カード、在留カード、特別永住者証明書、パスポート、金券、又は身分証明書である
請求項１ないし２１のいずれか一項に記載の判定システム。
【請求項２７】
前記印刷物は、商品券、紙幣、運転免許証、住民基本台帳カード、在留カード、特別永住者証明書、パスポート、金券、又は身分証明書である
請求項２２に記載の判定システムの制御方法。
【請求項２８】
前記印刷物は、商品券、紙幣、運転免許証、住民基本台帳カード、在留カード、特別永住者証明書、パスポート、金券、又は身分証明書である
請求項２３に記載の判定装置。
【請求項２９】
前記印刷物は、商品券、紙幣、運転免許証、住民基本台帳カード、在留カード、特別永住者証明書、パスポート、金券、又は身分証明書である
請求項２４に記載の判定装置の制御方法。
【請求項３０】
前記印刷物は、商品券、紙幣、運転免許証、住民基本台帳カード、在留カード、特別永住者証明書、パスポート、金券、又は身分証明書である
請求項２５に記載のプログラム。